(57)【要約】【課題】広告効果を低下させることなく、プライバシーを保護できる表示装置を提供する。【解決手段】デジタルサイネージは、広告用コンテンツをディスプレイ１３ａに表示する場合、広い視野角で表示し、検索用コンテンツをディスプレイ１３ａに表示する場合、狭い視野角で表示する。デジタルサイネージは、ユーザによって操作されていない場合、ディスプレイ１３ａの表示領域の全領域に、広告用コンテンツを広い視野角で表示する。デジタルサイネージは、ユーザによって操作されている場合、ディスプレイ１３ａの表示領域中の第１領域に広告用コンテンツを広い視野角で表示し、第２領域に検索用コンテンツを狭い視野角で表示し、２つのコンテンツを同時に表示する。【選択図】図２
2014010237.tif 000002
【特許請求の範囲】
【請求項１】
表示部を有する表示装置において、
前記表示部に１つの視野角で画像を表示させる第１表示処理部と、
前記表示部に複数の視野角で複数の画像を表示させる第２表示処理部と、
前記第１表示処理部及び第２表示処理部による処理を切り替える切替部と
を備えることを特徴とする表示装置。
【請求項２】
操作部を備え、
前記切替部は、前記第１表示処理部による処理が行われているときに、前記操作部が操作された場合、前記第２表示処理部による処理に切り替えるようにしてあることを特徴とする請求項１に記載の表示装置。
【請求項３】
前記第２表示処理部による処理が行われているときに、前記操作部が継続して操作されていない時間を計測する計測部を備え、
前記切替部は、前記計測部が計測する時間が所定時間を超えた場合、前記第１表示処理部による処理に切り替えるようにしてあることを特徴とする請求項２に記載の表示装置。
【請求項４】
前記第２表示処理部は、前記表示部の表示領域を複数に分割した１つの表示領域に、前記第１表示処理部が画像を表示させる視野角で画像を表示させ、異なる表示領域に、前記視野角よりも狭い視野角で画像を表示させるようにしてあることを特徴とする請求項１から３までのいずれかひとつに記載の表示装置。
【発明の詳細な説明】
【技術分野】
【０００１】
本発明は、広告用の画像等を表示する表示装置に関する。
【背景技術】
【０００２】
行き先の案内、店舗の検索、商品の紹介等、各種の情報を提供するために街頭等にデジタルサイネージが設置されている。デジタルサイネージは、例えば、タッチパネルを有するタッチディスプレイにてユーザによる操作を受け付けると共に各種の情報を表示する。デジタルサイネージに表示されるコンテンツには、商品の紹介等の広告用コンテンツと、行き先の案内又は店舗の検索等の検索用コンテンツとがある。そして、デジタルサイネージは、ユーザによって操作されていない場合には広告用コンテンツを表示し、ユーザがタッチ操作した場合に、検索用コンテンツに画面を切り替え、ユーザのタッチ操作に従った画面を表示する。
【０００３】
街頭等の公共スペースに設けられたデジタルサイネージは、視認性を向上させるために視野角が広い仕様となっていることが多い。視野角が広いデジタルサイネージでは、ユーザが情報の検索を行った場合の検索結果が周囲の他人に見えてしまうので、プライバシーを保護することは難しい。
【０００４】
そこで、特許文献１では、表示される操作画面に応じて視野角を調整する表示制御装置が提案されている。特許文献１の表示制御装置では、操作画面に応じて視野角を調整することによって、その操作画面が周囲の他人からは見えないように表示するので、プライバシーを保護できる。
【先行技術文献】
【特許文献】
【０００５】
【特許文献１】特開平１０−２４０１８６号公報
【発明の概要】
【発明が解決しようとする課題】
【０００６】
特許文献１の表示制御装置では、銀行等の金融機関に設置される自動取引端末等で用いられる表示制御装置が想定されており、ユーザが操作している場合、ユーザの操作に従った画面の表示のみが行われる。よって、特許文献１の表示制御装置では、ユーザの操作中は広告用コンテンツを表示できず、広告効果が得られないという問題がある。
【０００７】
本発明はかかる事情に鑑みてなされたものである。その目的とするところは、広告効果を低下させることなく、プライバシーを保護できる表示装置を提供することにある。
【課題を解決するための手段】
【０００８】
本発明に係る表示装置は、表示部を有する表示装置において、前記表示部に１つの視野角で画像を表示させる第１表示処理部と、前記表示部に複数の視野角で複数の画像を表示させる第２表示処理部と、前記第１表示処理部及び第２表示処理部による処理を切り替える切替部とを備えることを特徴とする。
【０００９】
本発明によれば、表示装置は、１つの視野角で画像を表示させる処理と、複数の視野角で複数の画像を表示させる処理とを切り替えることが可能である。よって、処理を切り替えることにより、異なる対象（視聴者、ユーザ）に対して適切な画像を提供できる。例えば、広い視野角で１つの画像を表示する場合、不特定多数のユーザに画像を提供することができる。また、狭い視野角で特定のユーザ用の画像を表示しつつ、広い視野角で不特定多数のユーザ用の画像を表示することにより、特定のユーザと不特定多数のユーザとの両方にそれぞれ異なる画像を提供することができる。
【００１０】
本発明に係る表示装置は、操作部を備え、前記切替部は、前記第１表示処理部による処理が行われているときに、前記操作部が操作された場合、前記第２表示処理部による処理に切り替えるようにしてあることを特徴とする。
【００１１】
本発明によれば、表示装置は、１つの視野角で画像を表示させる処理を行っているときに操作された場合、複数の視野角で複数の画像を表示させる処理に切り替える。よって、例えばユーザが使用（操作）していない場合には、広い視野角で画像を表示させることにより、広告効果が得られる。また、ユーザが使用している場合に、異なる視野角で異なる画像を表示させることにより、使用中のユーザに提供する画像と、その他の人に提供する画像とを異なる視野角で表示することができる。例えば、使用中のユーザに提供する画像を狭い視野角で表示することによって、プライバシーを保護できると共に、その他の人に提供する画像を広い視野角で表示することによって、広告効果の低下を抑制できる。
【００１２】
本発明に係る表示装置は、前記第２表示処理部による処理が行われているときに、前記操作部が継続して操作されていない時間を計測する計測部を備え、前記切替部は、前記計測部が計測する時間が所定時間を超えた場合、前記第１表示処理部による処理に切り替えるようにしてあることを特徴とする。
【００１３】
本発明によれば、表示装置は、複数の視野角で複数の画像を表示させる処理を行っているときに、継続して操作されない時間が所定時間を超えた場合、１つの視野角で画像を表示させる処理に切り替える。よって、例えばユーザが使用（操作）していない場合に、１つの視野角で画像を表示させることにより、複数の画像を表示させる必要がない場合には、このような処理を終了し、必要な画像表示のみを行うことによって、効率よく広告表示を行うことができる。
【００１４】
本発明に係る表示装置は、前記第２表示処理部は、前記表示部の表示領域を複数に分割した１つの表示領域に、前記第１表示処理部が画像を表示させる視野角で画像を表示させ、異なる表示領域に、前記視野角よりも狭い視野角で画像を表示させるようにしてあることを特徴とする。
【００１５】
本発明によれば、表示装置は、複数の視野角で複数の画像を表示させる場合、表示領域を複数に分割した１つの表示領域に、１つの視野角で画像を表示させる場合と同様の視野角で画像を表示させ、異なる表示領域に、前記視野角よりも狭い視野角で画像を表示させる。よって、２つの処理を切り替えた場合であっても、広い視野角で表示される画像の表示は継続して行われる。従って、広い視野角で広告用の画像を表示させることにより、２つの処理が切り替えられた場合であっても、広告用の画像は表示され続けるので、広告効果が継続して得られる。
【発明の効果】
【００１６】
本発明では、特定のユーザ用の画像と、不特定多数のユーザ用の画像とを異なる視野角で表示させることにより、画像表示による広告効果が得られると共に、特定のユーザ用の画像を狭い視野角で表示した場合にはプライバシーを保護できる。
【図面の簡単な説明】
【００１７】
【図１】本実施形態に係るデジタルサイネージの構成を示すブロック図である。
【図２】視野角を説明するための模式図である。
【図３】異なる２つの画像を同時に表示するための構成を説明する模式図である。
【図４】デジタルサイネージが行う処理の手順を示すフローチャートである。
【発明を実施するための形態】
【００１８】
以下、本発明に係る表示装置について、その実施形態を示す図面に基づいて詳述する。
【００１９】
本実施形態では、本発明に係る表示装置をデジタルサイネージに適用した例について説明する。図１は、本実施形態に係るデジタルサイネージの構成を示すブロック図である。本実施形態のデジタルサイネージ１は、制御部１０、ＲＡＭ（Random Access Memory）１１、記憶部１２、表示制御部１３及びタッチパネル制御部１４等を備える。これらのハードウェア各部はバスを介して相互に接続されている。
制御部１０は、ＣＰＵ（Central Processing Unit）又はＭＰＵ（Micro Processor Unit）等である。制御部１０は、記憶部１２に記憶されている制御プログラムを適宜ＲＡＭ１１にロードして実行することにより上述のハードウェア各部を制御し、デジタルサイネージ１を、本発明に係る表示装置として動作させる。
【００２０】
ＲＡＭ１１は、ＳＲＡＭ（Static ＲＡＭ）、ＤＲＡＭ（Dynamic ＲＡＭ）、フラッシュメモリ等である。ＲＡＭ１１は、制御部１０による各種プログラムの実行時に発生する種々のデータを一時的に記憶する。例えば、ＲＡＭ１１は、ディスプレイ１３ａに表示される各種の情報（表示情報）、タッチパネル１４ａに対してユーザがタッチ操作した箇所を示すタッチ操作座標値等を記憶する。
【００２１】
記憶部１２は、ＥＥＰＲＯＭ（Electrically Erasable and Programmable ROM）、フラッシュメモリ、ＨＤＤ（Hard Disk Drive）等の不揮発性メモリである。記憶部１２は、制御部１０が実行すべき制御プログラム及び各種データを予め記憶している。例えば、記憶部１２は、ディスプレイ１３ａに表示すべき表示コンテンツを記憶している。
表示コンテンツは、商品の紹介等の広告用コンテンツ、行き先の案内又は店舗の検索等の検索用コンテンツ等を含む。広告用コンテンツは、例えば静止画像及び動画像等の画像によって構成されており、各画像がディスプレイ１３ａに順次表示されるコンテンツである。検索用コンテンツは、例えば静止画像によって構成されており、ユーザからの入力操作に応じて異なる画像（案内情報又は検索結果等）が適宜表示されるコンテンツである。
【００２２】
表示コンテンツは、予め記憶部１２に記憶されている構成に限らない。例えば、デジタルサイネージ１がインターネット等のネットワークに接続するための通信部（図示せず）を備える場合、制御部１０が、通信部を介してネットワークに接続された外部装置からダウンロードして記憶部１２に記憶させてもよい。また、デジタルサイネージ１が外部記憶媒体からデータを読み取る読取部（図示せず）を備える場合、制御部１０が、表示コンテンツが記録された外部記憶媒体から読取部にて読み出して記憶部１２に記憶させてもよい。
【００２３】
表示制御部１３にはディスプレイ１３ａが接続されている。ディスプレイ（表示部）１３ａは、例えば、液晶ディスプレイ、プラズマディスプレイ又は有機ＥＬ（Electro Luminescence）ディスプレイ等である。
表示制御部１３は、ディスプレイ１３ａに各種の情報（画像）を表示させるために必要なドライバであり、制御部１０からの指示に従ってディスプレイ１３ａを駆動し、ディスプレイ１３ａに表示情報を表示させる。表示情報には、表示コンテンツのほかに、ユーザに対して通知すべき情報、ユーザがデジタルサイネージ１を操作するために必要な各種の操作ボタンの表示情報も含まれる。
【００２４】
タッチパネル制御部１４にはタッチパネル（操作部）１４ａが接続されている。タッチパネル１４ａは、例えばディスプレイ１３ａの前面（表示面）側に配置されており、静電容量方式、抵抗膜方式、電磁誘導方式又は赤外線方式等の各種のタッチセンサである。
タッチパネル制御部１４は、タッチパネル１４ａを利用するために必要なタッチパネルドライバであり、タッチパネル１４ａに対してユーザの指又はペン等が接触した場合に、その接触位置を検出する。タッチパネル制御部１４は、検出した接触位置を示す座標値を制御部１０へ出力する。なお、接触位置を示す座標値は、例えば、タッチパネル１４ａの座標軸原点を正面視左上角とし、左から右へ向かう方向をＸ軸正方向とし、上から下へ向かう方向をＹ軸正方向として、ｘ座標値及びｙ座標値で示される。
なお、本実施形態のデジタルサイネージ１は、タッチパネル１４ａのほかにも、機械的に操作を検知する機械式の操作ボタンを備えていてもよい。また、本実施形態のデジタルサイネージ１は、タッチパネルにて構成されない操作部（操作ボタン）のみを備えていてもよい。
【００２５】
本実施形態のデジタルサイネージ１では、ディスプレイ１３ａに画像を表示する際に視野角を変更することができる。なお、本実施形態のデジタルサイネージ１は、２種類の視野角で画像を表示することが可能である構成とするが、３種類以上の視野角で画像を表示することが可能に構成されていてもよい。
【００２６】
図２は視野角を説明するための模式図である。図２Ａには広い視野角で画像を表示した状態を示し、図２Ｂには狭い視野角で画像を表示した状態を示す。なお、図２Ａ及び図２Ｂのそれぞれにおいて、下側に示す図は、ディスプレイ１３ａを真上から見た状態を示しており、斜線で示した領域が、表示画像を良好に見ることができる領域を示す。なお、図２Ａ及び図２Ｂでは、表示画像を良好に見ることができる領域として、ディスプレイ１３ａの表示画面に対して横方向（左右方向）に広がる領域のみを示しているが、表示画面に対して縦方向（上下方向）に広がる領域も含まれる。例えば、広い視野角で画像を表示した場合、矩形の表示画面の周縁の４辺のそれぞれにおいて、表示画面と鈍角に（例えば、１３５°程度）交差する４つの面によって囲まれる領域では表示画像を良好に見ることができる。また、狭い視野角で画像を表示した場合、矩形の表示画面の周縁の４辺のそれぞれにおいて、表示画面と略直角に（例えば、９５°程度）交差する４つの面によって囲まれる領域でのみ表示画像を良好に見ることができる。
【００２７】
ディスプレイ１３ａが液晶ディスプレイである場合、ディスプレイ１３ａは、例えば、背面側に設けられたバックライトと、バックライトからの光を前面側に透過させるための偏光部材とを有する。表示制御部（第１表示処理部）１３は、ディスプレイ１３ａに画像を表示させる際、制御部１０からの指示に従って偏光部材を制御し、バックライトからの光が偏光部材を透過して進行する方向を制御する。これにより、本実施形態のデジタルサイネージ１は、ディスプレイ１３ａに画像を表示させる際の視野角を変更することができる。
図２Ａに示すように広い視野角で表示する画像としては、例えば広告用コンテンツがあり、広告用コンテンツを広い視野角で表示することにより、広い範囲の人に画像を提供することができるので、広告効果が得られる。また、図２Ｂに示すように狭い視野角で表示する画像としては、例えば検索用コンテンツがあり、検索用コンテンツを狭い視野角で表示することにより、実際に検索を行っているユーザのみに検索結果を提供できる。この場合、検索結果という個人的な情報が、実際に検索を行っているユーザ以外の人に見えないようにすることにより、プライバシーを保護できる。
【００２８】
また、本実施形態のデジタルサイネージ１は、１つのディスプレイ１３ａに、異なる２つの画像を同時に表示できるように構成してあり、更に、それぞれの画像を異なる視野角で表示できるように構成してある。
図３は異なる２つの画像を同時に表示するための構成を説明する模式図である。図３に示すように、本実施形態のデジタルサイネージ１では、ディスプレイ１３ａの表示領域が、例えば縦長の短冊状に複数に分割され、横方向（左右方向）に隣り合う各領域がそれぞれ第１領域Ｒ１及び第２領域Ｒ２として扱われる。異なる２つの画像を同時にディスプレイ１３ａに表示させる場合、表示制御部１３は、第１領域Ｒ１と第２領域Ｒ２とにそれぞれ異なる画像を表示させる。図３では分かり易いように、ディスプレイ１３ａの表示領域を１３に分割した状態を示しているが、実際にはもっと多くの領域に分割されており、ユーザ（視聴者）は、領域Ｒ１，Ｒ２に表示された異なる画像をそれぞれ違和感なく見ることができる。
【００２９】
また、ディスプレイ１３ａに設けられた偏光部材も、第１領域Ｒ１及び第２領域Ｒ２のそれぞれに対応する領域毎に制御できるように構成してある。従って、領域Ｒ１，Ｒ２のそれぞれに異なる画像を表示させる際に、表示制御部（第２表示処理部）１３は、領域Ｒ１，Ｒ２のそれぞれに対応する偏光部材の各領域を制御することにより、領域Ｒ１，Ｒ２のそれぞれに表示される画像をそれぞれ異なる視野角で表示させることができる。
なお、ディスプレイ１３ａの表示領域及び偏光部材の分割方法は、縦長の短冊状に限らず、横長の短冊状に分割してもよいし、短冊状以外の形状に分割してもよい。
【００３０】
以下に、本実施形態のデジタルサイネージ１が行う処理について説明する。図４はデジタルサイネージ１が行う処理の手順を示すフローチャートである。
デジタルサイネージ１の制御部１０は、通常動作を行っている場合、ディスプレイ１３ａの表示領域の全領域に広告用コンテンツを、広い視野角で表示する（Ｓ１）。よって、デジタルサイネージ１の通常動作時には、図２Ａに示すように、広告用コンテンツが広い視野角で表示されるので、広告効果が得られる。
【００３１】
制御部１０は、タッチパネル制御部１４から信号（接触位置を示す座標値）が出力されたか否かに基づいて、デジタルサイネージ１に対するユーザの操作があるか否かを判断する（Ｓ２）。操作されていないと判断した場合（Ｓ２：ＮＯ）、制御部１０は、ユーザの操作があるまで、広告用コンテンツの表示を継続して待機する。操作されたと判断した場合（Ｓ２：ＹＥＳ）、制御部１０は、記憶部１２に記憶してある検索用コンテンツに基づいて、ユーザの操作に従って表示すべき検索用コンテンツを生成する（Ｓ３）。制御部１０は、ステップＳ１で表示していた広告用コンテンツを例えば第１領域Ｒ１に広い視野角で表示すると共に、ステップＳ３で生成した検索用コンテンツを例えば第２領域Ｒ２に狭い視野角で表示することにより、２つのコンテンツを同時に表示させる（Ｓ４）。即ち、制御部（切替部）１０は、表示制御部１３を制御し、ディスプレイ１３ａの全表示領域に広い視野角で広告用コンテンツのみを表示させる処理から、ディスプレイ１３ａに２つの視野角でそれぞれ異なるコンテンツを表示させる処理に、表示処理を切り替える。よって、検索結果を提供する際にも、広告用コンテンツの表示を継続するので広告効果が継続して得られる。また、検索結果を狭い視野角で表示することにより、検索結果が、実際に検索を行っているユーザ以外の人には見えないのでプライバシーを保護できる。
【００３２】
制御部（計測部）１０は、時計を有しており、２つのコンテンツが同時に表示されているときに、ユーザが継続してデジタルサイネージ１を操作しない時間を時計にて計測する。よって、制御部１０は、２つのコンテンツの表示を行った場合、計時処理を開始する（Ｓ５）。
【００３３】
制御部１０は、検索処理（ユーザによる操作）の終了を指示されたか否かを判断する（Ｓ６）。例えば、検索用コンテンツには、ユーザによる検索処理を終了するための終了ボタンの表示情報も含まれており、ユーザが、終了ボタンを操作した場合、制御部１０は、検索処理の終了指示を受け付ける。検索処理の終了を指示されていないと判断した場合（Ｓ６：ＮＯ）、制御部１０は、デジタルサイネージ１に対するユーザの操作があるか否かを判断する（Ｓ７）。操作されたと判断した場合（Ｓ７：ＹＥＳ）、制御部１０は、ステップＳ３に処理を戻し、ユーザの操作に従った検索用コンテンツの生成、２つのコンテンツの表示、及び計時処理の開始（リセット）を繰り返す（Ｓ３，Ｓ４，Ｓ５）。
【００３４】
操作されていないと判断した場合（Ｓ７：ＮＯ）、制御部１０は、ステップＳ５で開始した計時処理に基づいて、ユーザがデジタルサイネージ１を操作しない時間が所定時間を越えたか否かを判断する（Ｓ８）。所定時間を越えていないと判断した場合（Ｓ８：ＮＯ）、制御部１０は、ステップＳ７に処理を戻し、ユーザがデジタルサイネージ１を操作するか、ユーザがデジタルサイネージ１を操作しない時間が所定時間を越えるまで、ステップＳ７，Ｓ８の処理を繰り返す。
【００３５】
ユーザがデジタルサイネージ１を操作しない時間が所定時間を越えたと判断した場合（Ｓ８：ＹＥＳ）、制御部１０は、ユーザがデジタルサイネージ１の操作を終了していると判断し、広告用コンテンツの表示のみに戻し（Ｓ９）、処理を終了する。ここでは、制御部１０は、ディスプレイ１３ａの表示領域の全領域に広告用コンテンツを広い視野角で表示する。即ち、ユーザがデジタルサイネージ１の操作（検索）を終了した場合、検索用コンテンツを表示させる必要がないので、広告用コンテンツのみが広い視野角で表示される。よって、表示させる必要のない検索用コンテンツの表示を終了するので、不要な表示処理を終了させることができる。なお、ステップＳ６で検索処理の終了を指示されたと判断した場合も（Ｓ６：ＹＥＳ）、制御部１０は、広告用コンテンツの表示のみに戻し（Ｓ９）、処理を終了する。
【００３６】
上述した処理により、本実施形態のデジタルサイネージ１は、ユーザによって検索処理が行われた場合であっても、広告用コンテンツを広い視野角で表示し続けるので、広告効果を得ることができる。よって、本実施形態のデジタルサイネージ１は、検索処理が行われている場合であっても広告効果が低下しないので、広告媒体としての利用価値が高い。
また、本実施形態のデジタルサイネージ１は、ユーザによって検索処理が行われた場合に、検索結果が狭い視野角で表示されるので、実際に検索を行っているユーザ以外の人には見えず、プライバシーを保護できる。よって、本実施形態のデジタルサイネージ１を使用して検索処理を行うユーザの増加が見込めるので、例えば店舗内において売場の案内、商品の案内等を行う人員の削減が可能である。
【００３７】
本実施形態のデジタルサイネージ１において、２つのコンテンツを同時に表示している場合に、広い視野角で表示するコンテンツ（例えば広告用コンテンツ）に、例えば、デジタルサイネージ１が現在操作中であることを示すメッセージを重ねて表示させてもよい。デジタルサイネージ１を用いて検索処理を行うユーザがいる場合、そのユーザは、デジタルサイネージ１の正面に立ってデジタルサイネージ１を操作していることが予想される。この場合、デジタルサイネージ１に表示された広告コンテンツを見ているユーザ（検索処理を行っていないユーザ）に不快感を与える可能性がある。よって、このようなメッセージを表示させることにより、検索処理を行っていないユーザに、デジタルサイネージ１の正面に立っている人が現在デジタルサイネージ１を使用中であることを通知できる。その結果、検索処理を行っていないユーザに与える可能性のある不快感を緩和できる。
【００３８】
以上、本発明の好適な実施形態について具体的に説明したが、各構成及び動作等は適宜変更可能であって、上述の実施形態に限定されることはない。
【符号の説明】
【００３９】
１  デジタルサイネージ（表示装置）
１０  制御部（切替部、計測部）
１３  表示制御部（第１表示処理部、第２表示処理部）
１３ａ  ディスプレイ（表示部）
１４ａ  タッチパネル（操作部）
【図１】
2014010237.tif 000003
【図２】
2014010237.tif 000004
【図３】
2014010237.tif 000005
【図４】
2014010237.tif 000006